(57)【特許請求の範囲】
【請求項１】
ウェビングを巻き取る円筒表面に凹部を有するスピンドルと、
前記スピンドルを支持する平板状の第１側壁および第２側壁を備え、該２つの側壁は間隔Ａをおいて平行に設けられ、該スピンドルを組付ける際に挿通するための高さＣの貫通孔を少なくとも一方が有する２つの側壁を含むリトラクタフレームとを備え、
前記凹部の最深部の一ヵ所から半径Ｄの範囲に前記スピンドルの一端の要素は内包され、
前記凹部の最深部の一ヵ所から半径Ｂの範囲に前記スピンドルの他端の要素は内包され、
前記凹部は、前記スピンドルを前記第１側壁および第２側壁の間から組付ける際に前記スピンドルを軸まわりに回転させて位置合わせするか、位置合わせしなくとも、前記凹部の前記最深部が前記貫通孔の縁に当接可能となるように、前記スピンドルの軸の周りに所定の角度にわたって設けられ、
前記貫通孔は、前記ウェビングに一定以上の繰り出し抵抗をかけながら所定長さを繰り出すエネルギー吸収機構の作動時に、前記ウェビングが引っ張られることによる荷重を前記スピンドルが受ける軸受を兼ねていることを特徴とするシートベルト用リトラクタ。
【請求項２】
前記スピンドルの凹部は、前記貫通孔に前記一端から傾斜姿勢で挿通された該スピンドルが該貫通孔と干渉することなく該傾斜姿勢を解消可能な形状を有することを特徴とする請求項１に記載のシートベルト用リトラクタ。
【請求項３】
ウェビングを巻き取る円筒表面に凹部を有するスピンドルと、
前記スピンドルを支持する平板状の第１側壁および第２側壁を備え、該２つの側壁は間隔Ａをおいて平行に設けられ、該スピンドルを組付ける際に挿通するための高さＣの貫通孔を少なくとも一方が有する２つの側壁を含むリトラクタフレームとを備え、
前記スピンドルの一端から円筒表面までの部分は、前記凹部の最深部の一ヵ所から半径Ｄの範囲内に含まれ、
前記スピンドルの他端から円筒表面までの部分は、前記凹部の最深部の一ヵ所から半径Ｂの範囲内に含まれ、
前記凹部は、前記スピンドルを前記第１側壁および第２側壁の間から組付ける際に前記スピンドルを軸まわりに回転させて位置合わせするか、位置合わせしなくとも、前記凹部の前記最深部が前記貫通孔の縁に当接可能となるように、前記スピンドルの軸の周りに所定の角度にわたって設けられ、
前記貫通孔は、前記ウェビングに一定以上の繰り出し抵抗をかけながら所定長さを繰り出すエネルギー吸収機構の作動時に、前記ウェビングが引っ張られることによる荷重を前記スピンドルが受ける軸受を兼ねていることを特徴とするシートベルト用リトラクタ。
【請求項４】
前記スピンドルの凹部は、前記２つの側壁の間から前記貫通孔に前記一端から傾斜姿勢で挿通された該スピンドルが該貫通孔と干渉することなく該傾斜姿勢を解消可能な形状を有することを特徴とする請求項３に記載のシートベルト用リトラクタ。
【請求項５】
前記スピンドルの凹部の軸方向の幅は、該スピンドルに巻き取られるウェビングの幅の１／２未満であることを特徴とする請求項１から４のいずれか１項に記載のシートベルト用リトラクタ。
【発明の詳細な説明】
【技術分野】
【０００１】
本発明は、シートベルト用リトラクタおよびシートベルト用リトラクタのスピンドル組付方法に関するものである。
【背景技術】
【０００２】
従来から車両の座席にはシートベルト装置が装着されていて、車両の急停止や衝突等、車両に大きな減速度が作用した緊急時に乗員を拘束し、乗員が慣性力によって前方へ飛び出してしまうことを抑止している。シートベルト装置は、シートバック後方またはシートバック内に配置されたリトラクタを備える。リトラクタは、緊急時に乗員を拘束するウェビング（ベルト）の自由な引き出しを可能にしつつ、ウェビングを回転力によって巻き取る。したがって平常時は乗員の動きに拘らずウェビングは弛まず、常に乗員の体に密着する。【０００３】
実際にウェビングを巻き取るのはリトラクタに配置されたスピンドルである。スピンドルは軸周りに回動自在に支持されていて、リトラクタに配置された巻取バネ装置や電動モータ等のバネの力等を用いてウェビングを巻き取る。衝突等の強い衝撃を車両が受けると、リトラクタに設けられたプリテンショナ装置がウェビングの引き出しをロックし、乗員が拘束される。【０００４】
しかし急激に乗員の身体を拘束すると、ウェビングを介して乗員の体に強い負荷が作用するおそれがある。かかる過負荷を緩和するために、リトラクタにはロードリミッタ機構がさらに備えられている。ロードリミッタ機構は、衝突時にロックされたウェビングの張力を検知する。張力が増大して一定値を超えると、ロードリミッタ機構に備えられたエネルギー吸収部材が変形することで、スピンドルの軸がウェビング引出方向（弛む方向）に回転する。これにより自動的にウェビングが引き出され、乗員に作用する負荷が軽減される。【０００５】
通常、リトラクタを組み立てる際には、図６（ａ）に例示するように、リトラクタフレーム１２の側壁に設けられた円形貫通孔１４にスピンドル１６を外側から挿通して組付けていた。しかし上述のロードリミッタ機構１７（図６（ｂ）参照）のような、スピンドル１６より直径が大きな追加部品がスピンドル１６の端に取り付けられるようになった。そのため、スピンドル１６をリトラクタフレーム１２の円形貫通孔１４に外側から挿通することが不可能となった。【０００６】
かかる問題の解決策として、単純には、リトラクタフレーム１２の円形貫通孔の直径を大きくし、スピンドル１６を挿通可能にすることが考えられる。しかし、リトラクタフレーム１２の外部にはピニオン１８が配置されていて、スピンドル１６の軸と略一致して回転動作する。この回転動作により、ピニオン１８は、図７に例示するように、リトラクタフレーム１２外部に接触して摺動する。【０００７】
ウェビング（不図示）に一定以上の繰り出し抵抗をかけながら所定長さ繰り出すエネルギー吸収（Energy Absorption; ＥＡ）機構（不図示）の作動時には、図７の矢印１９の方向へウェビングが引っ張られ、ピニオン１８はリトラクタフレーム１２に形成された荷重受け２０Ａ（図６（ａ））に対して摺動する。一方、プリテンショナ装置２６の作動時には、ピニオン１８は図７の矢印２１の方向へ引っ張られ、図６（ａ）の荷重受け２０Ｂに対して摺動する。【０００８】
このようにリトラクタフレーム１２には、ピニオン１８からの力を受ける荷重受け２０Ａ、２０Ｂを形成する必要があるため、円形貫通孔１４を大きくすることができない。図８に例示するように、仮に大きくした円形貫通孔３４を有するリトラクタフレーム３２を用いた場合、ピニオン１８の摺動径に合致する小さな円形貫通孔４４を有する追加部品（プレート４０）が必要となる。ピニオン１８はプレート４０に設けられた荷重受け４０Ａ、４０Ｂに対して摺動することとなる。【０００９】
また、通常のスピンドル１６は、スピンドル端部１６ａおよび１６ｂがリトラクタフレーム１２の円形貫通孔１４で支持され、リトラクタフレーム１２の外部の機構と接続される。換言すれば、円形貫通孔１４はスピンドル１６の軸受を兼ねている。このため、リトラクタフレーム１２の円形貫通孔を大きくすると、スピンドル１６端部をリトラクタフレーム１２の円形貫通孔１４で支持するためのさらなる追加部品（例えばスピンドル端部１６ａおよび１６ｂの軸受等）が必要となり、コストの面からも問題となる。【００１０】
その他の解決策として、例えば特許文献１には、Ｕ字形のケーシングの側壁を角度的に拡開させ、かつ拡開された側壁を互いに平行な位置関係に戻すための底板を切欠いて形成した変形部を設けた安全ベルト巻取器が開示されている。【００１１】
特許文献１に記載の安全ベルト巻取器によれば、ベルトリールおよびベルト軸を一体のベルト支持体として製作し、当該ベルト支持体を底板の変形により互いにＶ字状に拡開されたケーシングの両側壁間へ孔の高さまで挿入する。次いで底板を平らに塑性変形させて両側壁を互いに平行な位置へ移すことにより、安全ベルト巻取器を製造できるとしている。
【先行技術文献】
【特許文献】
【００１２】
【特許文献１】実公平７−３５８０５号公報
【発明の概要】
【発明が解決しようとする課題】
【００１３】
特許文献１に記載の安全ベルト巻取器の組付方法は、ベルトリール（スピンドル）を外側から挿通するのではなく、Ｕ字形のケーシング（リトラクタフレーム）の内側から挿通する方法である。したがって、ケーシングに力を加えて変形させ、ベルトリールを挿通するという作業工程が増加してしまう。【００１４】
本発明は、このような課題に鑑み、ロードリミッタ機構など、スピンドルより直径が大きな追加部品がスピンドルに取り付けられた場合であっても、リトラクタフレームの変形や追加部品を要せず、作業工程も増加しないシートベルト用リトラクタとそのスピンドル組付方法を提供することを目的とする。
【課題を解決するための手段】
【００１５】
上記課題を解決するために、本発明にかかるシートベルト用リトラクタの代表的な構成は、ウェビングを巻き取る円筒表面に凹部を有するスピンドルと、スピンドルを支持する平板状の２つの側壁であって、間隔Ａをおいて平行に設けられ、スピンドルを挿通するための高さＣの貫通孔を少なくとも一方が有する２つの側壁を含むリトラクタフレームとを備え、凹部の最深部から距離Ｄの範囲にスピンドルの一端の要素は内包され、凹部の最深部から距離Ｂの範囲にスピンドルの他端の要素は内包され、距離Ｄが高さＣ未満であり、距離Ｂが間隔Ａ未満であることを特徴とする。【００１６】
上記課題を解決するために、本発明にかかるシートベルト用リトラクタの他の代表的な構成は、ウェビングを巻き取る円筒表面に凹部を有するスピンドルと、スピンドルを支持する平板状の２つの側壁であって、間隔Ａをおいて平行に設けられ、スピンドルを挿通するための高さＣの貫通孔を少なくとも一方が有する２つの側壁を含むリトラクタフレームとを備え、スピンドルの一端から円筒表面までの部分は、前記凹部の最深部から距離Ｄの範囲内に含まれ、スピンドルの他端から円筒表面までの部分は、前記凹部の最深部から距離Ｂの範囲内に含まれ、距離Ｄが前記高さＣ未満であり、前記距離Ｂが前記間隔Ａ未満であることを特徴とする。【００１７】
かかる構成によれば、スピンドルの他端近傍に、スピンドルより直径が大きいロードリミッタ機構などの部品を配置した場合であっても、リトラクタフレームの内側からスピンドルを挿通可能である。すなわち、スピンドルの一端（部品がついていない側）を、２つの側壁の間から、一方の側壁の貫通孔に挿通する。スピンドルは、それを支持する２つの側壁間の間隔より長いため、挿通時に傾斜させる必要がある。この傾斜姿勢のため、本来であれば、スピンドルは貫通孔を通らず、挿通不能である。しかしスピンドルの円筒表面に設けられた凹部の最深部を貫通孔の縁に当接させることにより、傾斜させても貫通孔にスピンドルを挿通可能となっている。このように、リトラクタフレームを変形させることなく、スピンドルの挿通が可能となる。【００１８】
スピンドルの凹部は、貫通孔に一端から傾斜姿勢で挿通されたスピンドルが貫通孔と干渉することなく傾斜姿勢を解消可能な形状を有するとよい。あるいは、スピンドルの凹部は、２つの側壁の間から貫通孔に一端から傾斜姿勢で挿通されたスピンドルが貫通孔と干渉することなく傾斜姿勢を解消可能な形状を有するとよい。貫通孔がいかなる形状であっても、かかる条件を満たせば貫通孔にスピンドルを挿通可能だからである。【００１９】
また上記構成によれば、多くの場合、スピンドルをわずかに軸まわりに回転させて位置合わせするか、全く位置合わせしなくとも、凹部の最深部を貫通孔の縁に当接させることが可能である。仮に凹部が狭小な範囲にしか設けられていない場合には、位置合わせのため、スピンドルを大幅に回転させる必要がある場合が多く、作業が煩雑になる。これに対し、本発明ではリトラクタフレームの内側から貫通孔へのスピンドルの挿通が容易である。【００２０】
スピンドルに凹部を設けたことで、ウェビングに凹み跡が生じたり、ウェビング巻き径が所定の径より小さくなったりすると、ウェビングのスムーズな引出を阻害するおそれがある。このためスピンドルの凹部の軸方向の幅は、スピンドルに巻き取られるウェビングの幅の１／２未満であるとよい。これにより、ウェビングに凹み跡が生じることなく、凹部のないスピンドルと同様のウェビング巻き径を確保することが可能となる。【００２１】
上記課題を解決するために、本発明にかかるシートベルト用リトラクタのスピンドル組付方法の代表的な構成は、平行に設けられそれぞれ貫通孔を有する、スピンドルを支持する平板状の第１および第２の側壁を含むリトラクタフレームに、ウェビングを巻き取るスピンドルを組付けるスピンドル組付方法であって、スピンドルの一端を、第１および第２の側壁の間から、第１の側壁の貫通孔に挿通し、スピンドルの円筒表面に設けられた凹部の最深部を、第１の側壁の貫通孔の縁に当接させ、スピンドルを、スピンドルの軸と第１および第２の側壁の貫通孔の中心を通る中心線とが略平行になるように、凹部の最深部を回転中心として回転させ、スピンドルをリトラクタフレームの所定の組付位置まで略平行移動することを特徴とする。【００２２】
上述したシートベルト用リトラクタにおける技術的思想に対応する構成要素やその説明は、当該シートベルト用リトラクタのスピンドル組付方法にも適用可能である。
【発明の効果】
【００２３】
本発明によれば、ロードリミッタ機構など、スピンドルより直径が大きな追加部品がスピンドルに取り付けられた場合であっても、リトラクタフレームを変形や追加部品を要せず、作業工程も増加しないシートベルト用リトラクタとそのスピンドル組付方法を提供することが可能である。
【図面の簡単な説明】
【００２４】
【図１】本実施形態にかかるシートベルト用リトラクタを備えたシートベルト装置を例示する図である。
【図２】図１のシートベルト用リトラクタを例示する図である。
【図３】図２のスピンドルに設けられた凹部を例示する図である。
【図４】図３の凹部の詳細を例示する図である。
【図５】図３のスピンドルの組付方法を例示する図である。
【図６】比較例であるシートベルト用リトラクタを例示する図である。
【図７】図６（ａ）のシートベルト用リトラクタを別の方向から見た部分断面図である。
【図８】図６（ａ）を変形した他のシートベルト用リトラクタを例示する図である。
【符号の説明】
【００２５】
１２   …リトラクタフレーム
１４   …円形貫通孔
１６   …スピンドル
１７   …ロードリミッタ機構
１００  …シートベルト装置
１２０  …ウェビング
１２２  …タング
１２４  …バックル
１４０  …センターピラー
１４２  …スルーリング
１６０  …座席
２００  …リトラクタ
２４０  …リトラクタフレーム
２４２ａ  …第１側壁
２４２ｂ  …第２側壁
２４４ａ  …第１円形貫通孔
２４４ｂ  …第２円形貫通孔
２４６  …中心線
２６０  …プリテンショナ装置
２８０  …ロードリミッタ機構
３００  …スピンドル
３０２  …貫通穴
３０４  …一端
３０６  …他端
３２０  …凹部
【発明を実施するための形態】
【００２６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２７】
（シートベルト装置）
図１は、本実施形態にかかるシートベルト用リトラクタを備えたシートベルト装置を例示する図である。図１において、シートベルト装置１００は、乗員拘束用のウェビング１２０と、ウェビング１２０の着脱装置としてのバックル１２４と、ウェビング１２０を巻き取る、あるいは引き出すリトラクタ２００とを備え、ウェビング１２０により乗員（図示は省略）を拘束する。
【００２８】
リトラクタ２００は、ウェビング１２０の巻取装置および引出装置であり、車内のセンターピラー１４０に配置される。リトラクタ２００の配置場所は任意であり、座席１６０のシートバック後方に限らず、シートバック内に配置してもよい。リトラクタ２００から車体上方へ繰り出されたウェビング１２０は、センターピラー１４０上部に配置されたスルーリング１４２に挿通され、車体の下方に向けて折り返される。そして、ウェビング１２０の先端部はセンターピラー１４０と座席１６０の間に設けられたアンカープレート（図示省略）に固定される。
【００２９】
ウェビング１２０のスルーリング１４２とアンカープレートとの間の部分には、タング１２２がウェビング１２０を挿通するように配置されている。また、座席１６０を挟んだアンカープレートの反対側にはバックル１２４が配置される。タング１２２は当該バックル１２４に着脱され、乗員を拘束する。
【００３０】
（シートベルト用リトラクタ）
図２は、図１のシートベルト用リトラクタを例示する図である。リトラクタ２００は、スピンドル３００と、リトラクタフレーム２４０と、プリテンショナ装置２６０とを備える。
【００３１】
スピンドル３００は、その円筒面でウェビング１２０を巻き取るものであり、リトラクタフレーム２４０に軸支され、回動自在に支持されている。スピンドル３００は、その一端３０４側に配置された巻取バネ装置３６０や電動モータ等（図示せず）の力を用いてウェビング１２０を巻き取る。
【００３２】
衝突等の強い衝撃を車両が受けると、プリテンショナ装置２６０が作動する。この際、プリテンショナ装置２６０の作動には通常火薬を用い、火薬が爆発する際に発生するガスの力で、スピンドル３００の回転が制限されてリトラクタ２００からのウェビング１２０の引出がロックされ、さらには弛んだウェビング１２０を瞬時に巻き取る。これにより慣性力によって前方に飛び出そうとする乗員の身体を拘束する。しかし、急激に乗員の身体を拘束すると、ウェビング１２０を介して、乗員の体に強い負荷が作用するおそれがある。
【００３３】
この過負荷を緩和するために、リトラクタ２００には、ロードリミッタ機構２８０がさらに配置されている。ロードリミッタ機構２８０は、スピンドル３００の他端３０６近傍に取り付けられている。衝突時の衝撃によりプリテンショナ装置２６０が作動し、ウェビング１２０の張力が所定の荷重に達すると、ロードリミッタ機構２８０内部に備えられたエネルギー吸収部材が変形し、スピンドル３００の軸がウェビング引出方向（弛む方向）に回転する。これにより自動的にウェビング１２０が数ｃｍ程度引き出され、乗員に作用する過負荷が緩和される。
【００３４】
（スピンドルの凹部）
本実施形態の特徴は、図２に例示するように、スピンドル３００の外周に凹部３２０を設けていることである。以下、凹部３２０を設けた理由について説明する。図３は図２のスピンドル３００に設けられた凹部３２０を例示する図である。リトラクタフレーム２４０は、スピンドル３００を支持する平板状の第１の側壁（以下第１側壁と称する）２４２ａおよび第２の側壁（以下第２側壁と称する）２４２ｂを有し、第１側壁２４２ａおよび第２側壁２４２ｂは平行に設けられている。さらに第１側壁２４２ａおよび第２側壁２４２ｂは、それぞれ第１の側壁の円形貫通孔（以下第１円形貫通孔と称する）２４４ａおよび第２の側壁の円形貫通孔（以下第２円形貫通孔と称する）２４４ｂを有する。
【００３５】
スピンドル３００は、軸受として機能する第１円形貫通孔２４４ａによって軸支されるため、第１円形貫通孔２４４ａの直径と実質的に等しい直径を有する。しかしスピンドル３００の他端３０６近傍に取り付けられたロードリミッタ機構２８０は、スピンドル３００より直径が大きい。したがって、スピンドル３００をリトラクタフレーム２４０に組付ける際、図６（ａ）で通常のスピンドルの組付の際に行ったように、スピンドル３００を、例えば第１円形貫通孔２４４ａの外側から挿通することはできない。
【００３６】
そこで本実施形態では、図３に例示するように、凹部３２０を設けた。凹部３２０の最深部から距離Ｄの範囲にスピンドル３００の一端３０４の要素は内包される。言い換えれば、スピンドル３００の一端３０４から円筒表面までの部分（円筒よりも大径の部位も含む）は、凹部３２０の最深部から距離Ｄの範囲内に含まれる。また、凹部３２０の最深部から距離Ｂの範囲にスピンドル３００の他端３０６の要素は内包される。言い換えれば、スピンドル３００の他端３０６から円筒表面までの部分（円筒よりも大径のロードリミッタ機構２８０も含む）は、凹部３２０の最深部から距離Ｂの範囲内に含まれる。距離Ｄは第１円形貫通孔２４４ａの高さ（直径Ｃ）未満であり、距離Ｂは第１の側壁２４２ａおよび第２の側壁２４２ｂの間隔Ａ未満である。凹部３２０の最深部は、図３に例示するように、１点ではなく、軸方向の所定の幅にわたっている。この最深部全体がＤ＜ＣかつＢ＜Ａという条件を満たす必要はなく、本条件を満たす点が最深部に１箇所でもあればよい。
【００３７】
図３に例示するように、スピンドル３００の一端３０４（ロードリミッタ機構２８０がついていない側）を、２つの側壁の間から、一方の側壁の第１円形貫通孔２４４ａに挿通する。スピンドル３００の軸方向の長さは、それを支持する第１側壁２４２ａおよび第２側壁２４２ｂの間隔Ａより長いため、挿通時に図３のように傾斜させる必要がある。この傾斜姿勢のため、本来であれば、スピンドル３００は、第１円形貫通孔２４４ａに挿通不能である。
【００３８】
しかし本実施形態のようにスピンドル３００の円筒表面に設けられた凹部３２０の最深部を第１円形貫通孔２４４ａの縁に当接させることにより、傾斜させても第１円形貫通孔２４４ａにスピンドル３００を挿通可能となっている。挿通時にリトラクタフレーム２４０を変形させる必要もない。スピンドル３００の他端３０６近傍に設けられる部品は、ロードリミッタ機構２８０に限られない。スピンドル３００より直径が大きないかなる部品がスピンドル３００の他端３０６近傍に設けられていても、リトラクタフレーム２４０に組付可能である。
【００３９】
図４は、図３の凹部３２０の詳細を例示する図である。図４（ａ）は正面図、図４（ｂ）は図４（ａ）のＡ−Ａ断面図である。図４（ｂ）に例示するように、スピンドル３００の凹部３２０は、スピンドル３００の軸の周りに所定の角度αにわたって設けられている。
【００４０】
凹部３２０が仮にピンポイント的に狭小な範囲にしか設けられていない場合、スピンドル３００を組付ける際に、スピンドル３００を大幅に軸周りに回転させる必要が生じ、作業が煩雑なものとなる。しかし、本実施形態のように凹部３２０が所定の角度αにわたって設けられていれば、スピンドル３００をわずかに軸まわりに回転させて位置合わせするか、全く位置合わせしなくとも、凹部３２０の最深部を円形貫通孔２４４の縁に当接させることが可能になる。
【００４１】
本実施形態では、第１円形貫通孔２４４ａのような円形の貫通孔にスピンドル３００を挿通しているが、貫通孔は円形以外のいかなる形状としてもよい。その場合、スピンドル３００の凹部３２０は、貫通孔に一端３０４から傾斜姿勢で挿通されたスピンドル３００（図５（ａ）（ｂ））が貫通孔と干渉することなく傾斜姿勢を解消可能（図５（ｃ））な形状であれば、いかなる形状としてもよい。
【００４２】
上記の条件を満たす凹部３２０は、スピンドル３００の強度を確保できる範囲で深さの上限を定めてよく、深さの下限は限りなくゼロに近くしてよい。
【００４３】
スピンドル３００に凹部３２０を設けたことで、ウェビング１２０に凹み跡が生じたり、ウェビング１２０の巻き径が所定の径より小さくなったりすると、ウェビング１２０のスムーズな引出を阻害するおそれがある。このため、図４（ａ）に例示するように、凹部３２０の軸方向の幅βは、スピンドル３００に巻き取られるウェビング１２０の幅γの１／２未満とした。凹部３２０をかかる幅βとすれば、ウェビング１２０に凹部３２０による凹み跡が生じることがなく、従来と同様のウェビング巻き径を確保可能となる。
【００４４】
（スピンドル組付方法）
図５は図３のスピンドルの組付方法を例示する図である。上述のスピンドル３００をリトラクタフレーム２４０に組付ける際には、まずスピンドル３００の一端をリトラクタフレーム２４０の第１側壁２４２ａと第２側壁２４２ｂの間から、図５（ａ）に例示するように、第１側壁２４２ａの第１円形貫通孔２４４ａに傾斜させた状態で挿通し、スピンドル３００の円筒表面に設けられた凹部３２０の最深部を、第１円形貫通孔２４４ａの縁に当接させる。
【００４５】
次に、図５（ｂ）に例示するように、第１円形貫通孔２４４ａの縁に当接させた凹部３２０の最深部を回転中心とし、スピンドル３００の軸と、第１円形貫通孔２４４ａと第２円形貫通孔２４４ｂの中心を通る中心線２４６とが略平行になるように回転させる。
【００４６】
さらに、図５（ｃ）に例示するように、スピンドル３００を、リトラクタフレーム２４０の所定の組付位置まで略平行移動させ、リトラクタフレーム２４０に組付ける。
【００４７】
上述のようにスピンドル３００をリトラクタフレーム２４０に組付けることで、リトラクタフレーム２４０の内側から円形貫通孔２４４へのスピンドルの挿通が容易になり、他の部品や組立工程の増加も生じることもない。
【００４８】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００４９】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、シートベルト用リトラクタおよびシートベルト用リトラクタのスピンドル組付方法に利用することができる。
【図１】
0005519671.tif 000002
【図２】
0005519671.tif 000003
【図３】
0005519671.tif 000004
【図４】
0005519671.tif 000005
【図５】
0005519671.tif 000006
【図６】
0005519671.tif 000007
【図７】
0005519671.tif 000008
【図８】
0005519671.tif 000009